(57)【要約】【課題】  記録画像の耐候性の保持、同一色度における帯状の光沢むら発生の抑止、高速記録を両立しながら、記録位置による色むらの発生を最小限に抑えた記録を実現する。【解決手段】  画像データに対して設定されている印刷条件に基づいて、記録媒体上の同一画像領域に対する記録を完了するための、記録ヘッドの走査回数を判定する。同一画像領域に対する記録における、記録ヘッドの今回の走査における走査方向を判定する。走査回数と走査方向に応じて、記録ヘッドの今回の走査における、相対的に耐候性の高い色材と相対的に耐候性の低い色材それぞれの使用量を決定する。決定した相対的に耐候性の高い色材と相対的に耐候性の低い色材それぞれの使用量で、画像データを印刷するための印刷データを生成する。【選択図】  図１
2010100017.tif 000002
【特許請求の範囲】
【請求項１】
同系色の相対的に耐候性の高い色材と相対的に耐候性の低い色材を吐出する記録ヘッドを記録媒体に対して主走査方向に往復走査することによって、前記記録媒体に画像を形成する画像形成装置に対する印刷データを生成する画像処理装置であって、
画像データを入力する入力手段と、
前記画像データに対して設定されている印刷条件に基づいて、前記記録媒体上の同一画像領域に対する記録を完了するための、前記記録ヘッドの走査回数を判定する走査回数判定手段と、
前記同一画像領域に対する記録における、前記記録ヘッドの今回の走査における走査方向を判定する走査方向判定手段と、
前記走査回数と前記走査方向に応じて、前記記録ヘッドの今回の走査における、前記相対的に耐候性の高い色材と前記相対的に耐候性の低い色材それぞれの使用量を決定する決定手段と、
前記決定手段で決定した前記相対的に耐候性の高い色材と前記相対的に耐候性の低い色材それぞれの使用量で、前記画像データを印刷するための印刷データを生成する生成手段と
を備えることを特徴とする画像処理装置。
【請求項２】
前記決定手段は、前記走査回数と前記走査方向に基づいて決定される前記記録媒体の搬送幅毎の色差がなくなるように、前記相対的に耐候性の高い色材と前記相対的に耐候性の低い色材それぞれの使用量を決定する
ことを特徴とする請求項１に記載の画像処理装置。
【請求項３】
相対的に耐候性の高い色材と相対的に耐光性の低い色材との記録媒体への記録順序によって発生する色差を、前記記録ヘッドの走査回数と走査方向に対応づけたルックアップテーブルで管理する管理手段を更に備え、
前記決定手段は、前記ルックアップテーブルを参照して得られる、前記走査回数と前記走査方向に対応する色差がなくなるように、前記相対的に耐候性の高い色材と前記相対的に耐候性の低い色材それぞれの使用量を決定する
ことを特徴とする請求項２に記載の画像処理装置。
【請求項４】
前記決定手段は、前記記録媒体上の複数の位置間における色差がなくなるように、前記相対的に耐候性の高い色材と前記相対的に耐候性の低い色材それぞれの使用量を決定する
ことを特徴とする請求項１に記載の画像処理装置。
【請求項５】
相対的に耐候性の高い色材と相対的に耐光性の低い色材との記録媒体への記録時間差によって発生する色差を、前記記録ヘッドの走査回数と走査方向に対応づけたルックアップテーブルで管理する管理手段を更に備え、
前記決定手段は、前記ルックアップテーブルを参照して得られる、前記走査回数と前記走査方向に対応する色差がなくなるように、前記相対的に耐候性の高い色材と前記相対的に耐候性の低い色材それぞれの使用量を決定する
ことを特徴とする請求項４に記載の画像処理装置。
【請求項６】
前記相対的に耐候性の高い色材は、顔料インクであり、前記相対的に耐候性の低い色材は、染料インクである
ことを特徴とする請求項１乃至５のいずれか１項に記載の画像処理装置。
【請求項７】
前記印刷条件として、前記走査回数と前記走査方向を設定する設定手段を更に備える
ことを特徴とする請求項１に記載の画像処理装置。
【請求項８】
同系色の相対的に耐候性の高い色材と相対的に耐候性の低い色材を吐出する記録ヘッドを記録媒体に対して主走査方向に往復走査することによって、前記記録媒体に画像を形成する画像形成装置に対する印刷データを生成する画像処理装置の制御方法であって、
画像データを入力する入力工程と、
前記画像データに対して設定されている印刷条件に基づいて、前記記録媒体上の同一画像領域に対する記録を完了するための、前記記録ヘッドの走査回数を判定する走査回数判定工程と、
前記同一画像領域に対する記録における、前記記録ヘッドの今回の走査における走査方向を判定する走査方向判定工程と、
前記走査回数と前記走査方向に応じて、前記記録ヘッドの今回の走査における、前記相対的に耐候性の高い色材と前記相対的に耐候性の低い色材それぞれの使用量を決定する決定工程と、
前記決定工程で決定した前記相対的に耐候性の高い色材と前記相対的に耐候性の低い色材それぞれの使用量で、前記画像データを印刷するための印刷データを生成する生成工程と
を備えることを特徴とする画像処理装置の制御方法。
【請求項９】
同系色の相対的に耐候性の高い色材と相対的に耐候性の低い色材を吐出する記録ヘッドを記録媒体に対して主走査方向に往復走査することによって、前記記録媒体に画像を形成する画像形成装置に対する印刷データを生成する画像処理装置の制御をコンピュータに実行させるためのプログラムであって、
画像データを入力する入力工程と、
前記画像データに対して設定されている印刷条件に基づいて、前記記録媒体上の同一画像領域に対する記録を完了するための、前記記録ヘッドの走査回数を判定する走査回数判定工程と、
前記同一画像領域に対する記録における、前記記録ヘッドの今回の走査における走査方向を判定する走査方向判定工程と、
前記走査回数と前記走査方向に応じて、前記記録ヘッドの今回の走査における、前記相対的に耐候性の高い色材と前記相対的に耐候性の低い色材それぞれの使用量を決定する決定工程と、
前記決定工程で決定した前記相対的に耐候性の高い色材と前記相対的に耐候性の低い色材それぞれの使用量で、前記画像データを印刷するための印刷データを生成する生成工程と
をコンピュータに実行させることを特徴とするプログラム。
【発明の詳細な説明】
【技術分野】
【０００１】
本発明は、同系色の相対的に耐候性の高い色材と相対的に耐候性の低い色材を吐出する記録ヘッドを記録媒体に対して主走査方向に往復走査することによって、前記記録媒体に画像を形成する画像形成装置に対する印刷データを生成する画像処理装置に関する。
【背景技術】
【０００２】
近年、ワードプロセッサ、パーソナルコンピュータ、ファクシミリ等における情報出力装置として、所望される文字や画像等の情報を用紙やフィルム等シート状の記録媒体に記録を行う記録装置には様々な方式のものがある。その中で、記録媒体に記録剤（色材）を付着することで記録媒体上にテキストや画像を形成する方式が実用化されている。このような方式の代表例として、複数のインクの吐出口を備えた記録ヘッドを用いるインクジェット記録装置が知られている。
【０００３】
従来、インクジェット記録装置に用いられるインクは、水に溶解しやすい染料を色材として用いた染料インクが広く適用されてきた。染料インクを用いたインクジェット記録装置では、一般に良好な画質の画像出力が実現されている。
【０００４】
一方で、近年、印刷物の耐光性や耐水性の向上への要求が高まっている。上述の染料インクは、分子レベルで溶媒中に溶解し、記録媒体に記録されると、その染料インクは記録媒体の繊維質の内部に浸透して定着する。この染料インクは一般に耐光性が悪いことが知られており、染料インクを組成する染料分子が光により分解しやすいため、記録画像の色が褪色してしまう。また、染料インクで印刷した印刷物は、一般に耐水性が悪いことが知られており、水に濡れると記録媒体の繊維質に浸透した染料分子が水に溶解するため、記録画像において滲みが発生しやすい。
【０００５】
染料インクで発生する耐光性や耐水性の問題を解決するために、近年では、色材に顔料を用いた顔料インクの開発が進められている。顔料インクは、分子として存在する染料インクと異なり、数１０ナノメーターから数ミクロンの大きさの粒子として溶剤中に存在している。顔料インクでは、記録媒体に記録された後も顔料が粒子として記録媒体に定着するため、光に分解されにくく、水にも溶解しにくい。そのため、記録画像の耐光性、耐水性の点で、一般に染料インクより優れている。
【０００６】
また、インクジェット記録装置では、記録媒体に対して記録ヘッドが往復動作を行いながら記録を行うシリアル型のインクジェット記録装置が、低コストで高品位の画像を記録できることから広く普及している。このシリアル型のインクジェット記録装置では、記録速度の向上を図る構成の１つとして、双方向記録が知られている。即ち、記録ヘッドが往方向の走査で記録を行った後、所定量の紙送り（記録媒体の搬送）を実行し、その後の復方向（往方向と反対方向）の記録ヘッドの走査でも記録を行う記録方式である。この記録方式によれば、往方向の走査のみで記録を行い復方向の走査では記録を行わない片方向記録方式と比較すると、単純にはおよそ２倍の記録速度を実現できる。
【０００７】
一方、記録ヘッドの走査によって完成する領域の大きさに関して、記録ヘッドの吐出口配列幅に相当する幅の走査領域を１回の走査で完成する１パス記録と、紙送りを挟んだ複数回の走査で完成するマルチパス記録が知られている。マルチパス記録では、各記録走査の間に記録媒体の搬送が行われるため、同一画像領域に記録する記録素子（ノズル）は、各記録走査で異なっている。
【０００８】
従って、ノズル毎の吐出量あるいは記録媒体への着弾位置にばらつきが生じた場合も、これを分散させて画像上目立ちにくくさせることができる。また、１パス記録では、記録媒体の搬送量のばらつきによって生じやすくなる縞やスジもマルチパス記録を行うことによって、画像上目立ちにくくさせることができる。しかしながら、記録パス数が多いほど記録速度は遅くなってしまう。
【０００９】
これら１パス記録やマルチパス記録は、上述の双方向記録方式によっても実行され得るものであり、１パス記録を双方向記録方式で実行するとき、最も速い記録速度を実現することが可能になる。
【００１０】
上述したように、高速記録を実現するために双方向記録方式が用いられることはごく一般的であるが、一方で走査領域毎に色の違いを生じ、それが画像全体で帯状の色むらとなって画質劣化要因となることが課題となっている。これは、双方向記録における往方向と復方向では、各色インクの付与順序が異なることに起因したものである。
【００１１】
即ち、インクジェット記録装置では、各色インクの吐出口列がその走査方向に配列されている構成が一般的であり、この場合、その配列によって往復それぞれの走査での各色インクの付与順序が逆の関係となる。
【００１２】
染料インク、顔料インクともに特定の波長の光を吸収することで発色するが、顔料インクでは、光の吸収以外に、顔料粒子やインク内の空隙によって生じる光散乱が発色に大きな影響を与えている。一方、染料インクでは、主に分子レベルで記録媒体に浸透して定着しているため、顔料インクのような光散乱現象は小さく、光の吸収が発色に対して支配的である。このインク層における光散乱現象に起因して、染料インク以上に顔料インクでは各色インクの付与順序の違いによる色むらが大きな課題となる。
【００１３】
さらに、近年、ポスター印刷等の大判記録媒体を対象として、幅６０インチ程にも及ぶ大判記録媒体用のインクジェット記録装置が市販されている。こうした大判記録媒体用のインクジェット記録装置では、記録ヘッドが同一画像領域内を走査して記録する際に、先行して記録媒体上に記録されたインクに対して、後続して記録されるインクの付与される時間の差が、記録媒体上の位置によって大きく異なる。
【００１４】
これは、記録ヘッドの走査方向（往方向から復方向／復方向から往方向）が切り替わる前後では先行インクと後続インクの記録時間差が小さく、その切り替わってからの距離が遠い箇所では先行インクと後続インクの記録時間差が大きいことによるものである。この記録時間差によって、先行して記録されたインクの定着状態（乾燥状態等）によっては、後続のインク形成に影響を与える。こうして形成されるインクの定着状態の違いが発色に影響を与えるため、少ないパス数で記録を行うと、結果として記録媒体上の位置による色むらを生じる。
【００１５】
上述したマルチパス記録では、記録パス数を多くすることで、インクの付与順序の違いを空間的に混在させ、インクの付与順序による色の違いを目立ちにくくしている。ここで、記録パス数を増加させることで、色むらの課題を解決可能であるが、印刷速度は低下ししまう。
【００１６】
現在のインクジェット記録装置においては、高画質、高耐候性（耐光性、耐水性）、高速記録の全てを両立させることが重要視されている。そこで、耐侯性に優れた顔料を色材として使用したインクジェット記録装置において、できるだけ少ないパス数で双方向記録方式を実行し、さらに色むらの発生を最小限に抑える必要がある。
【００１７】
また、記録媒体内に浸透して定着する染料インクと異なり、顔料インクはその粒子径の大きさから、表面にコート層や光沢層を持つような細孔径の小さな光沢紙等の記録媒体では、記録媒体内に浸透せず記録媒体表面に堆積する。そのため、顔料インクを用いて記録を行うと、インクの記録量に応じて記録された印刷物の表面粗さが異なり光沢が異なるという課題もある。このような理由から明らかなように、画像濃度による光沢の違い、いわゆる、光沢むらは、色材が記録媒体内部に浸透する染料インクではほぼ発生せず、色材が記録媒体表面に堆積する顔料インクで顕著に発生する画質課題である。
【００１８】
また、上述の色むらの課題を解決する方法として、それぞれの色インクについて２つのノズル列を設け、それぞれのノズル列を記録ヘッドの走査方向に直交する軸に対して相互に対象となるように配置した記録方式がある（特許文献１）。または、１パス記録を双方向記録方式で実行する際に、往方向で記録する場合と復方向で記録する場合のそれぞれに対応するカラーマップ（記録するインク液滴量）を用いて記録を行う記録方式がある（特許文献２）。または、インクの記録順序を制御するメモリ領域を持たせ、同一色度を再現する場合にはインク記録順序を一定に保つ方式がある（特許文献３）。
【特許文献１】特開２０００−３１８１８９号公報
【特許文献２】特開２０００−３１８１９０号公報
【特許文献３】特開２００４−１５５１８１号公報
【発明の開示】
【発明が解決しようとする課題】
【００１９】
しかしながら、特許文献１に開示されている方法では、記録可能なインクの種類（色数、液滴サイズ、色材種類）が増えないにも関わらず、各色についてノズル列を２列分確保しなければならず、記録ヘッドが大型化してしまう。即ち、記録装置の筐体が大型化してしまうという課題がある。
【００２０】
また、特許文献２に開示されている方法では、１パスかつ双方向記録方式で記録を行うため、ノズル間のばらつきや紙送りのばらつきによる画質劣化を抑制することができないという課題がある。また、顔料インクを用いた場合には、同一色度の画像であっても往方向と復方向とで記録するインク液滴量が異なることが起因して、帯状に異なる光沢が生じ、画質を低下させてしまうという課題もある。
【００２１】
また、特許文献３に開示されている方法では、色むらを抑制するためには、再現する色に応じて往路あるいは復路のどちらかしか記録を行わないため、高速記録を実現するために有効な双方向記録方式を充分に活用できないという課題がある。
【００２２】
本発明は上記の課題を鑑みてなされたものであり、同系色の相対的に耐候性の低い色材（例えば、染料インク）と相対的に耐候性の高い色材（例えば、顔料インク）を同時に搭載した画像形成装置にかかる課題を解決することを目的とする。具体的には、記録画像の耐候性の保持、同一色度における帯状の光沢むら発生の抑止、高速記録を両立しながら、記録位置による色むらの発生を最小限に抑えた記録を実現する画像処理装置及びその制御方法、プログラムを提供することを目的とする。
【課題を解決するための手段】
【００２３】
上記の目的を達成するための本発明による画像処理装置は以下の構成を備える。即ち、
同系色の相対的に耐候性の高い色材と相対的に耐候性の低い色材を吐出する記録ヘッドを記録媒体に対して主走査方向に往復走査することによって、前記記録媒体に画像を形成する画像形成装置に対する印刷データを生成する画像処理装置であって、
画像データを入力する入力手段と、
前記画像データに対して設定されている印刷条件に基づいて、前記記録媒体上の同一画像領域に対する記録を完了するための、前記記録ヘッドの走査回数を判定する走査回数判定手段と、
前記同一画像領域に対する記録における、前記記録ヘッドの今回の走査における走査方向を判定する走査方向判定手段と、
前記走査回数と前記走査方向に応じて、前記記録ヘッドの今回の走査における、前記相対的に耐候性の高い色材と前記相対的に耐候性の低い色材それぞれの使用量を決定する決定手段と、
前記決定手段で決定した前記相対的に耐候性の高い色材と前記相対的に耐候性の低い色材それぞれの使用量で、前記画像データを印刷するための印刷データを生成する生成手段と
を備える。
【００２４】
また、好ましくは、前記決定手段は、前記走査回数と前記走査方向に基づいて決定される前記記録媒体の搬送幅毎の色差がなくなるように、前記相対的に耐候性の高い色材と前記相対的に耐候性の低い色材それぞれの使用量を決定する。
【００２５】
また、好ましくは、相対的に耐候性の高い色材と相対的に耐光性の低い色材との記録媒体への記録順序によって発生する色差を、前記記録ヘッドの走査回数と走査方向に対応づけたルックアップテーブルで管理する管理手段を更に備え、
前記決定手段は、前記ルックアップテーブルを参照して得られる、前記走査回数と前記走査方向に対応する色差がなくなるように、前記相対的に耐候性の高い色材と前記相対的に耐候性の低い色材それぞれの使用量を決定する。
【００２６】
また、好ましくは、前記決定手段は、前記記録媒体上の複数の位置間における色差がなくなるように、前記相対的に耐候性の高い色材と前記相対的に耐候性の低い色材それぞれの使用量を決定する。
【００２７】
また、好ましくは、相対的に耐候性の高い色材と相対的に耐光性の低い色材との記録媒体への記録時間差によって発生する色差を、前記記録ヘッドの走査回数と走査方向に対応づけたルックアップテーブルで管理する管理手段を更に備え、
前記決定手段は、前記ルックアップテーブルを参照して得られる、前記走査回数と前記走査方向に対応する色差がなくなるように、前記相対的に耐候性の高い色材と前記相対的に耐候性の低い色材それぞれの使用量を決定する。
【００２８】
また、好ましくは、前記相対的に耐候性の高い色材は、顔料インクであり、前記相対的に耐候性の低い色材は、染料インクである。
【００２９】
また、好ましくは、前記印刷条件として、前記走査回数と前記走査方向を設定する設定手段を更に備える。
【００３０】
上記の目的を達成するための本発明による画像処理装置の制御方法は以下の構成を備える。即ち、
同系色の相対的に耐候性の高い色材と相対的に耐候性の低い色材を吐出する記録ヘッドを記録媒体に対して主走査方向に往復走査することによって、前記記録媒体に画像を形成する画像形成装置に対する印刷データを生成する画像処理装置の制御方法であって、
画像データを入力する入力工程と、
前記画像データに対して設定されている印刷条件に基づいて、前記記録媒体上の同一画像領域に対する記録を完了するための、前記記録ヘッドの走査回数を判定する走査回数判定工程と、
前記同一画像領域に対する記録における、前記記録ヘッドの今回の走査における走査方向を判定する走査方向判定工程と、
前記走査回数と前記走査方向に応じて、前記記録ヘッドの今回の走査における、前記相対的に耐候性の高い色材と前記相対的に耐候性の低い色材それぞれの使用量を決定する決定工程と、
前記決定工程で決定した前記相対的に耐候性の高い色材と前記相対的に耐候性の低い色材それぞれの使用量で、前記画像データを印刷するための印刷データを生成する生成工程と
を備える。
【００３１】
上記の目的を達成するための本発明によるプログラムは以下の構成を備える。即ち、
同系色の相対的に耐候性の高い色材と相対的に耐候性の低い色材を吐出する記録ヘッドを記録媒体に対して主走査方向に往復走査することによって、前記記録媒体に画像を形成する画像形成装置に対する印刷データを生成する画像処理装置の制御をコンピュータに実行させるためのプログラムであって、
画像データを入力する入力工程と、
前記画像データに対して設定されている印刷条件に基づいて、前記記録媒体上の同一画像領域に対する記録を完了するための、前記記録ヘッドの走査回数を判定する走査回数判定工程と、
前記同一画像領域に対する記録における、前記記録ヘッドの今回の走査における走査方向を判定する走査方向判定工程と、
前記走査回数と前記走査方向に応じて、前記記録ヘッドの今回の走査における、前記相対的に耐候性の高い色材と前記相対的に耐候性の低い色材それぞれの使用量を決定する決定工程と、
前記決定工程で決定した前記相対的に耐候性の高い色材と前記相対的に耐候性の低い色材それぞれの使用量で、前記画像データを印刷するための印刷データを生成する生成工程と
をコンピュータに実行させる。
【発明の効果】
【００３２】
本発明によれば、記録画像の耐候性の保持、同一色度における帯状の光沢むら発生の抑止、高速記録を両立しながら、記録位置による色むらの発生を最小限に抑えた記録を実現する画像形成方法、画像形成装置、及び、画像形成プログラムを提供できる。
【発明を実施するための最良の形態】
【００３３】
以下、本発明の実施の形態について図面を用いて詳細に説明する。尚、以下の実施形態は、特許請求の範囲に係る本発明を限定するものでなく、また、実施形態で説明されている特徴の組み合わせの全てが本発明の解決手段に必須のものとは限らない。
【００３４】
[実施形態１]
＜装置構成詳細＞
図１は本発明の実施形態１における画像形成装置の構成を示す基本となるブロック図である。
【００３５】
画像入力部１０１では、出力対象となる画像を形成するための画像データを入力する。画像処理部１０２及び画像記録方法決定部１０３では、印刷条件格納部１０５に予め設定され格納されている印刷条件を参照し、その印刷条件に応じた画像処理及び画像記録方法をそれぞれ決定する。これらの処理の詳細な内容は後述する。画像出力部１０４では、画像処理部１０２及び画像記録方法決定部１０３で適切に決定された印刷命令に従い、ユーザによって指定された記録媒体に印刷する。
【００３６】
図２Ａは本発明の実施形態１における画像形成装置の詳細な構成を示すブロック図である。
【００３７】
図２Ａを参照して、図１のブロック図における処理の一部を詳細に説明する。図２Ａでは、ホスト装置（コンピュータまたは画像処理装置）２０１と、記録装置（インクジェット記録装置）２０２とで実現される画像形成装置の構成を示している。
【００３８】
記録装置２０２は、染料シアンインクＣｄ、染料マゼンタインクＭｄ、染料イエローインクＹｄの三色の染料インク、及び、顔料シアンインクＣｐ、顔料マゼンタインクＭｐ、顔料イエローインクＹｐの三色の顔料インク、によって印刷を行う。そのため、記録装置２０２は、これらインクを吐出するための複数の記録素子を有する記録ヘッド２１１を搭載している。
【００３９】
ホスト装置２０１のオペレーティングシステム（ＯＳ）上では、プリンタドライバが稼動し、画像処理部１０２における各処理は、通常、プリンタドライバ内で実行される。印刷条件設定部２０３については、詳細は後述するが、プリンタドライバのユーザインタフェース（ＵＩ）内で実現される。印刷対象となる画像データの入力は、画像入力部１０１にて行われる。ここで、画像入力部１０１は、プリンタドライバのユーザインタフェース（ＵＩ）に実装されている。画像データの入力に関しては、プリンタドライバとは別のアプリケーションで画像の編集や加工を行った後、そのアプリケーションからプリンタドライバを参照して印刷命令を実行する構成でも構わない。
【００４０】
画像入力部１０１にて入力する画像データまたは編集前の画像データは、種々の画像ソース媒体を介してホスト装置２０１に入力することができる。例えば、デジタルカメラで撮像した画像データを、メモリカード等の記憶媒体を介して入力しても良いし、スキャナで読み取った画像データや、ＣＤ−ＲＯＭ等の記憶媒体に記録された画像データを入力しても良い。勿論、インターネット等のネットワーク上に配置されたサーバやＷｅｂサイトから画像データをダウンロードすることで入力しても良い。
【００４１】
ホスト装置２０１は、入力した画像データを表示部に表示する。ホスト装置２０１のユーザは、プリンタドライバを起動させて、そのプリンタドライバのユーザインタフェースを介して印刷を指示する。この指示に応じて、プリンタドライバは、入力した画像データを、例えば、ｓＲＧＢ規格の画像データ（各色８ビット）に変換して、画像処理部１０２に渡す。
【００４２】
画像処理部１０２は、カラーマッチング処理部２０４において、入力した画像データに色域（色再現範囲）マッピングを施す。つまり、カラーマッチング処理部２０４は、ｓＲＧＢ規格の画像データの再現可能な色域と、記録装置２０２が再現可能な色域（プリンタ色域）の関係を示す三次元ルックアップテーブル（３ＤＬＵＴ）及び補間演算を用いて、その画像データを変換する。具体的には、カラーマッチング処理部２０４は、ＲＧＢデータの画像データをプリンタ色域のＲＧＢデータの画像データに変換（色域マッピング）する。
【００４３】
色分解処理部２０５は、色域マッピングされたＲＧＢデータが表す色を再現するためのインクの組み合わせに対応する色分解データＣｄＭｄＹｄＣｐＭｐＹｐ（各色８ビット）を生成する。この処理は、カラーマッチング処理部２０４と同様に、３ＤＬＵＴと補間演算を併用して行う。各印刷条件に応じた色分解処理方法の詳細は後述する。
【００４４】
γ補正部２０６は、色分解処理部２０５によって得られた色分解データの各色データ毎に、その階調値を変換するγ補正を行う。例えば、記録装置２０２の各色インクの階調特性に応じた一次元ルックアップテーブル（１ＤＬＵＴ）を用いて、色分解データを記録装置２０２の階調特性に対応付ける変換を行う。
【００４５】
中間調処理部２０７は、各色８ビットの色分解データＣｄＭｄＹｄＣｐＭｐＹｐそれぞれを、誤差拡散法を用いてｎビットデータに変換する量子化を行う。以下、ｎ＝４として説明する。４ビットデータは、記録装置２０２において、インクドットの配置パターンを示すためのインデックスになる。
【００４６】
このようにして生成したデータを、画像処理部１０２は、印刷データとして記録装置２０２に出力する。
【００４７】
尚、プリンタドライバ及び画像編集用の別アプリケーションでの処理は、それらのプログラムをＣＰＵが実行することで実現される。当該プログラムは、ホスト装置２０１内のＲＯＭやハードディスク等の記憶媒体からＲＡＭにロードされて実行される。その実行に際してＲＡＭは、ＣＰＵのワークエリアとして用いられる。
【００４８】
一方、記録装置２０２は、ホスト装置２０１から入力される印刷データにドット配置パターン化処理部２０８及びマスクデータ変換処理部２０９による処理を施す。
【００４９】
ドット配置パターン化処理部２０８は、実際の印刷画像の画素毎に、４ビットのインデックスデータ（階調値情報）に対応するドット配置パターンに従いドット配置を行う。つまり、ドット配置パターン化処理部２０８は、４ビットデータで表現される各画素に、その画素の階調値に対応するドット配置パターンを割り当てる。次に、ドット配置パターン化処理部２０８は、画素内の複数の各エリアについてドットのオン（記録）とオフ（非記録）を定義して、各エリアに「１」または「０」の吐出（記録）データを配置する。
【００５０】
マスクデータ変換処理部２０９は、得られる１ビットの吐出データにマスク処理を施す。即ち、マスクデータ変換処理部２０９は、記録ヘッド２１１による副走査方向に所定幅の走査領域（以下、「バンド」と呼ぶ）の記録を複数回の走査で完成させるための各走査の吐出データを、それぞれの走査に対応したマスクを用いた処理によって生成する。ここで、副走査方向とは、記録ヘッド２１１の走査方向である主走査方向と直交する方向である。尚、マスクデータ変換処理部２０９の詳細は後述する。
【００５１】
マスクデータ変換処理部２０９は、生成した走査毎の吐出データＣｄ、Ｍｄ、Ｙｄ、Ｃｐ、Ｍｐ、Ｙｐを、適切なタイミングでヘッド駆動回路２１０に送信する。ヘッド駆動回路２１０は、受信した吐出データに従い各インクを吐出するように、記録ヘッド２１１を駆動する。
【００５２】
尚、記録装置２０２におけるドット配置パターン化処理部２０８、マスクデータ変換処理部２０９は、専用のハードウェア回路を用いて、記録装置２０２の制御部を構成するＣＰＵの制御の下に実行される。また、記録装置２０２のＣＰＵが、プログラムに従い上記の処理を行っても良いし、ホスト装置２０１の、例えば、プリンタドライバが上記の処理を行っても良い。
【００５３】
また、図２Ａに示す処理を実行するホスト装置２０１は、コンピュータに限定されず、例えば、記録装置２０２内で、ホスト装置２０１の各処理を実行しても構わない。
【００５４】
実施形態１において、「画素」とは、階調表現が可能な最小単位のことであり、多値データの画像処理、カラーマッチング処理、色分解処理、γ補正処理、中間調処理等の各種処理の対象になる最小単位である。また、ドット配置パターン化処理における一画素は４×４升のパターンに対応し、この一画素内の各升を「エリア」と呼ぶ。そして、エリアは、ドットのオンとオフを定義できる最小単位である。
【００５５】
これに関連して、カラーマッチング処理、色分解処理、γ補正における「画像データ」は、処理対象である画素の集合を表し、各画素は、例えば、８ビットの階調値を内容とするデータである。また、中間調処理における「画素データ」は、処理対象である画素データそのものを表し、中間調処理部２０７によって、８ビットの画素データは４ビットの階調値を内容とする画素データ（インデックスデータ）に変換される。
【００５６】
図２Ｂは本発明の実施形態１のコンピュータのハードウェア構成を示すブロック図である。
【００５７】
図２Ｂにおいて、ＣＰＵ１２１１は、ＲＡＭ１２１２及びＲＯＭ１２０３に記憶されたプログラムに従って、ホスト装置２０１全体の動作を制御する。ＲＡＭ１２１２は、ＣＰＵ１２１１のメインメモリとして使用され、ＣＰＵ１２１１により実行されるプログラムがロードされる。また、このＲＡＭ１２１２は、ＣＰＵ１２１１による制御動作時に各種データを一時的に保存するワークエリアを提供している。ＲＯＭ１２０３は、ブートプログラムや各種データを不揮発に記憶している。
【００５８】
表示部１２０４は、ＣＲＴや液晶等の表示ユニットを有し、処理対象のデータや後述するＵＩ画面等の表示に使用する。入力部１２０５は、キーボード、マウス等のポインティングデバイスを有し、ユーザの操作により各種データやコマンドを入力するのに使用される。
【００５９】
外部記憶装置１２０６は、ハードディスク等の大容量の記憶装置である。この外部記憶装置１２０６には、ＯＳ、各種アプリケーションプログラムやプリンタドライバ、及びデータ等が予めインストールされている。そして、そのプログラムの起動が指示されると、プログラムはＲＡＭ１２１２にロードされて実行される。
【００６０】
ネットワークインタフェース（Ｉ／Ｆ）１２０７は、ＬＡＮ等のネットワーク１２０９とのインタフェースを制御している。このネットワーク１２０９には、プリンタ１０４０や各種入出力機器が接続されている。入出力ポート１２０８は、例えば、ＵＳＢやＩＥＥＥ１３９４等のインタフェースである。
【００６１】
＜ＵＩ部＞
図３は本発明の実施形態１に係るユーザインタフェース（ＵＩ）部の一例を示す図である。
【００６２】
図３を参照して、印刷条件設定部２０３について詳細に説明する。尚、ＵＩ上でユーザに指定された命令の処理内容に関する説明は後述する。
【００６３】
３０１は、印刷条件設定ウインドウである。ユーザが印刷を行う際に、入力部１２０５を介して、この印刷条件設定ウインドウ３０１を起動させて表示部１２０４に表示させ、印刷条件を設定する。また、印刷条件設定ウインドウ３０１は、プリンタドライバ上のインタフェースとして実装される。実施形態１では、ユーザが操作しやすいように、グラフィカルユーザインタフェース（ＧＵＩ）の例を記載しているが、コマンドライン上で命令を実行するインタフェースであっても構わない。
【００６４】
３０２は、画像入力部１０１で入力する画像データを指定する入力画像データ選択部である。入力画像データ選択部３０２は画像データのファイル名を入力することで、入力対象の画像データを指定することができる。
【００６５】
３０３は、印刷に用いられる記録媒体の種類を選択する記録媒体選択部である。記録媒体選択部３０３はコンボボックスとなっており、このコンボボックスに登録されている各種記録媒体から任意の記録媒体を選択することが可能である。
【００６６】
３０４は、色処理方法選択部である。図中の「標準」モード、「光沢優先」モード、「耐候性優先」モードは、同一のグループボックス内に配置されており、各モードは択一で選択されるラジオボタンで決定される。
【００６７】
「標準」モードは、色材として染料インクと顔料インクの両方を用いて記録を行うモードである。この「標準」モードは、高速記録（双方向記録方式、比較的少ないパス数での記録）、高耐候性（顔料インク）、帯状の光沢むら抑制を両立しながら、記録位置による色むらの発生を最小限に抑制するという、本発明の目的を実現するために必須のモードである。
【００６８】
「光沢優先」モードは、染料インクのみを用いて記録を行うモードである。ここで「光沢優先」としたのは、染料が記録媒体内部に浸透しやすく記録媒体自体の光沢が保持されやすいため、染料インクのみを用いた場合には、光沢紙やコート紙の光沢を損なわない記録が実現されるためである。
【００６９】
「耐候性優先」モードは、顔料インクのみを用いて記録を行うモードである。ここで「耐候性優先」としたのは、顔料が染料より大きな粒子として存在するため水濡れや褪色に強く、顔料インクのみを用いた場合には染料インクと比較して耐候性の高い記録が実現されるためである。
【００７０】
尚、これまで説明したとおり、染料インクと顔料インクの性質上、光沢と耐候性はトレードオフの関係にある。
【００７１】
３０５は、印刷速度設定部である。ここでは、印刷速度として、「速い」、「標準」、「遅い」の３つのモードを例示しているが、モード数は特に限定されるものではない。図中の「速い」モード、「標準」モード、「遅い」モードは、同一のグループボックス内に配置されており、各モードは択一で選択されるラジオボタンで決定される。そして、印刷速度設定部３０５で選択されたモードに応じて、記録パス数が決定される。
【００７２】
以下、「速い」モードは１パス記録、「標準」モードは４パス記録、「遅い」モードは１６パス記録として説明を行う。ここで、「標準」モードは、顔料インクのみを用いて双方向記録方式で記録を行う際に、バンド状の色むらが知覚される程度のパス数であれば良い。また、「遅い」モードは、顔料インクのみを用いて双方向記録方式で記録を行う際に、バンド状の色むらが充分抑制される程度のパス数であれば良い。但し、パス数は、これに限定されるものではない。
【００７３】
３０６は、双方向記録を行うか、あるいは、片方向記録を行うかを設定するためのチェックボックスである。
【００７４】
上記の入力フィールド、コンボボックス、グループボックス、ラジオボタン、チェックボックス等の各種コントロールは、あくまでも一例であり、同等の機能を具備するものであれば、その他のオブジェクトであっても何ら問題ない。
【００７５】
また、ＵＩ部は、プリンタドライバとは別のアプリケーションに実装されていても良く、その場合、別のアプリケーションを用いてメモリ（印刷条件格納部１０５）上に格納した印刷条件を画像処理部１０２に渡すようになる。
【００７６】
＜マスクデータ変換処理＞
図４は本発明の実施形態１のマルチパス記録を説明するための模式図である。
【００７７】
マルチパス記録は、一般にシリアル型のインクジェット記録装置で適用され、記録媒体の同一画像領域に対し、複数回の記録走査に分けて画像が段階的に形成されていく方法である。
【００７８】
何回目の記録走査でどのエリアへの記録を可能とするかは、記録データと、マスクパターンと呼ばれる２値データとのＡＮＤ処理をかけること等の処理によって決定されている。
【００７９】
また、各記録走査の間には、記録媒体の搬送が行われているので、同一画像領域に記録する記録素子は各記録走査で異なっている。従って、記録素子毎の吐出ばらつきが生じた場合にも、これを分散させ、画像上目立たなくさせることができる。
【００８０】
また、記録走査と記録走査の間に生じるつなぎ部では、搬送量のばらつきによって白スジや黒スジが生じてしまう場合があるが、これに対しても、マルチパス記録を行うことによって画像上目立たなくすることができる。
【００８１】
この記録素子単位の吐出ばらつきや搬送量のばらつきは、製造工程や精度の状態からどうしても生じてしまう画像劣化の要因である。よって、マルチパス記録は、シリアル型のインクジェット記録装置において、画像品位を保持する上で重要な記録技術であり、ごく一般的に採用されている。
【００８２】
図４は、４パスで片方向記録する際に、各色インクの付与順序を場所によらず一定にする場合に、使用される各色のマスクパターンの例を示した図である。
【００８３】
各格子は１つのインクドットが記録される領域（１エリア）を示しており、ここでは、４×４升の１６エリアの領域におけるマスクパターンを示している。実際の記録の際には、ここに示す４×４升のマスクパターンの組み合わせが、縦横ともに繰り返されて適用されるものと考えて良い。また、これらのマスクパターンは、記録装置２０２のメモリに格納されている。
【００８４】
印刷操作においては、まず、第１の記録走査にて、１パス目のマスクパターンに従って間引かれた記録データが記録され、続く、第２から第６の記録走査で、それぞれのマスクパターンに従って間引かれた記録データが記録される。各色の１パス目〜６パス目のマスクパターンは、互いに補完の関係にあるため、記録媒体の同一画像領域においては、６回の記録走査で画像データの全てが記録される。
【００８５】
図４に示すように、実施形態１における各色のマスクパターンは、６回の記録走査中、連続する４回の記録走査で記録を完了する。ここでは、簡単のため、色材の種類が顔料のみを用いて記録を行う場合を例にして説明する。
【００８６】
イエローインク（Ｙインク）は１パス目〜４パス目で記録を行い（図４（ａ））、５パス目及び６パス目は記録を行わない。シアンインク（Ｃインク）は２パス目〜５パス目で記録を行い（図４（ｂ））、１パス目及び６パス目は記録を行わない。マゼンタインク（Ｍインク）３パス目〜６パス目で記録を行い（図４（ｃ））、１パス目及び２パス目は記録を行わない。
【００８７】
また、Ｙインク用の１〜４パス目のマスクパターンは、Ｃインク用の２〜５パス目のマスクパターン、及びＭインク用の３〜６パス目のマスクパターンと同一のパターンを有する。換言すれば、各色のマスクパターンは、同一のパターンの開始位置を１パスずつずらしたものである。
【００８８】
これにより、全てのエリアにおいて、ｍパス目（ｍ：１〜４の整数）においてＹインクが記録され、ｍ＋１パス目においてＣインクが記録され、ｍ＋２パス目においてＭインクが記録されることになり、各色インクの重ね順を固定して記録することが可能となる。
【００８９】
また、各パス内においては、各色のマスクパターンは互いに排他の関係にあるため、複数色のインクドットが同一エリアに同一のパスで印刷されることはなく、マルチパス本来の目的である良好な定着結果を得ることができる。
【００９０】
実施形態１において、Ｃ、Ｍ、Ｙ３色のインクを用いて黒色画像（いわゆるコンポジットブラック）の印刷を行う場合、図５に示すように、記録媒体５０１上に下から順にＹインク５０２、Ｃインク５０３、Ｍインクドット５０４が積層する。
【００９１】
実施形態１では、各色のマスクパターンの内、記録を行う４回分については、ドットの記録率（記録を行うエリアの数）が各パスに均等に分割されているが、各エリアにおけるインクの記録順が制御可能であれば、各パスの記録率は不均一であっても問題はない。例えば、記録ヘッド端部における気流の影響を軽減する等の目的により、中間パスでの記録率を高く設定しても良い。
【００９２】
また、実施形態１では、４×４升を単位とし、各色について４回の記録走査で記録を完了するマスクパターンを用いて説明しているが、他の形態のマスクパターンであっても構わない。例えば、マスクパターンの単位は、任意の範囲のエリア群であってよいし、各色の印刷は、より少ない回数の走査で行われても、より多い回数の走査で行われてもかまわない。
【００９３】
＜マルチパス記録＞
図６は本発明の実施形態１の記録ヘッドにおける各色インクの記録素子（ノズル）配置を示す模式図である。
【００９４】
記録ヘッド２１１は、複数の記録素子６０２を有している。ここでは、図中、左から、Ｃｄインク、Ｍｄインク、Ｙｄインク、Ｃｐインク、Ｍｐインク、Ｙｐインク用の記録素子で構成されている。図では、ノズルである記録素子を副走査方向に一直線上に配置する例を示しているが、実施形態１における記録素子の配列は、これに限定されるものではない。例えば、解像度向上のためにジグザグに配置してあっても構わない。また、記録素子列の順序は、染料インク、顔料インクに限らず、限定されるものではない。
【００９５】
図７は本発明の実施形態１の双方向記録方式で４パス記録を行う際の記録ヘッドの走査と画像形成の関係を示す模式図である。
【００９６】
記録ヘッド２１１が記録媒体７０１上を左右に走査しながら記録を行う。一般的には、記録ヘッド２１１が記録媒体に対して往方向（復方向）に走査を行いながら記録を行った後、記録媒体７０１を所定量搬送させる。その後、同様に復方向（往方向）に走査を行いながら記録を行う。この動作（往復走査）を、繰り返すことで画像の形成を完了する。
【００９７】
ある画像領域７０２（斜線部）の形成には、Ｎパス目で、記録ヘッド２１１上の斜線部（記録素子列を４分割した一番下の領域）で示す領域の記録素子を利用して記録を行う。次に、（Ｎ＋１）パス目で、記録ヘッド２１１上の斜線部（記録素子列を４分割した下から２番目の領域）で示す領域の記録素子を利用して記録を行う。
【００９８】
以下、（Ｎ＋２）パス目、（Ｎ＋３）パス目も記録ヘッド２１１上の斜線部で示した領域の記録素子を用いて記録を行う。同様に、画像領域７０３（網点部）は、（Ｎ＋１）パス目から（Ｎ＋４）パス目それぞれで、記録ヘッドの網点で示した領域の記録素子を用いて記録を行う。
【００９９】
つまり、中間調処理後の記録データとマスクパターンのＡＮＤ処理の結果、２色以上のインクが重なる画素に関しては、記録ヘッド２１１における各色インク列の物理的配置によってインクの付与順序が反転する。その結果、顔料インクＣｐ、Ｍｐ、Ｙｐのみを用いて記録を行う場合、画像領域７０２と画像領域７０３の色の差（帯状の色むら）が顕著に発生する。
【０１００】
尚、１パス記録の場合、所定の画像領域に関して記録データ分全ての記録を１回の走査で記録しなければならないため、インクの付与順序を空間的に分散することができず、特に、高濃度領域で顕著に色むらが発生してしまう。
【０１０１】
＜処理フロー＞
図８は本発明の実施形態１の印刷条件設定ウインドウにてユーザに選択された各印刷条件に応じた処理フローを示すフローチャートである。
【０１０２】
まず、印刷条件設定部２０３は、双方向印刷の「オン」あるいは「オフ」を判定する（ステップＳ８０１）。ここで、双方向印刷が「オフ」である場合（ステップＳ８０１でＮＯ）、画像処理部１０２は、「処理３」を実行する（ステップＳ８０８）。
【０１０３】
一方、双方向印刷が「オン」である場合（ステップＳ８０１でＮＯ）、印刷条件設定部２０３は、印刷速度が「速い」に選択されているか否かを判定する（ステップＳ８０２）。印刷速度が「速い」に選択されている場合（ステップＳ８０２でＹＥＳ）、印刷条件設定部２０３は、色処理方法が「標準」に選択されているか否かを判定する（ステップＳ８０３）。色処理方法が「標準」に選択されていない場合（ステップＳ８０３でＮＯ）、画像処理部１０２は、「処理３」を実行する（ステップＳ８０８）。一方、色処理方法が「標準」に選択されている場合（ステップＳ８０３でＹＥＳ）、画像処理部１０２は、「処理１」を実行する（ステップＳ８０４）。
【０１０４】
ステップＳ８０２において、印刷速度が「速い」に選択されていない場合（ステップＳ８０２でＮＯ）、印刷条件設定部２０３は、印刷速度が「標準」に選択されている否か（実施形態１の場合、「標準」か「遅い」か）を判定する（ステップＳ８０５）。
【０１０５】
印刷速度が「遅い」に選択されている場合（ステップＳ８０５でＮＯ）、画像処理部１０２は、「処理３」を実行する（ステップＳ８０８）。印刷速度が「標準」に選択されている場合（ステップＳ８０５でＹＥＳ）、印刷条件設定部２０３は、色処理方法が「標準」に選択されている否かを判定する（ステップＳ８０７）。色処理方法が「標準」に選択されている場合（ステップＳ８０６でＹＥＳ）、画像処理部１０２は、「処理２」を実行する（ステップＳ８０７）
一方、色処理方法が「標準」に選択されていない場合（ステップＳ８０６でＮＯ）、画像処理部１０２は、「処理３」を実行する（ステップＳ８０８）。
【０１０６】
ここで、「処理１」は、双方向記録方式かつ１パス記録において、染料インクと顔料インクを両方用いて記録を行うことで、色むらの発生を抑制する処理である。
【０１０７】
「処理２」は、双方向記録方式かつ比較的少ないパス数（実施形態１では、４パスの例を用いて説明）の記録において、染料インクと顔料インクを両方用いて記録を行うことで、色むらの発生を抑制する処理である。
【０１０８】
「処理３」は、上記以外の記録方法の組み合わせであり、特別な処理は施さない。
【０１０９】
＜色分解処理＞
上述の「処理１」における色分解を行うための色分解ルックアップテーブル（色分解ＬＵＴ）の作成方法を図９から図１３を参照して説明する。
【０１１０】
図９は本発明の実施形態１の１パス記録を行う際の記録ヘッドの走査と画像形成の関係を示す模式図である。
【０１１１】
ここでは、記録ヘッド２１１が記録媒体７０１上を左右に走査しながら記録を行う場合を例に挙げて説明する。
【０１１２】
例えば、顔料シアンインク（Ｃｐインク）、顔料イエローインク（Ｙｐインク）をそれぞれ１００％記録する場合、画像領域９０１（往方向記録）は、記録ヘッド２１１における各色の記録素子列の物理的配置から、Ｙｐインク、Ｃｐインクの順に記録される。一方、画像領域９０２（復方向記録）は、Ｃｐインク、Ｙｐインクの順に記録される。
【０１１３】
従って、画像領域９０１では、記録媒体１００３上にＹｐインク層１００１、その上にＣｐインク層１００２が積層する（図１０（ａ））。同様に、画像領域９０２では、記録媒体１００３上にＣｐインク層１００４、その上にＣｐインク層１００５が積層する（図１０（ｂ））。
【０１１４】
図１１は本発明の実施形態１の色材記録順序の違いによって再現される色の違いをプロットしたＣＩＥ  Ｌ＊ａ＊ｂ＊色空間のａ＊ｂ＊平面図である。
【０１１５】
図１１では、ＣＩＥ  Ｌ＊ａ＊ｂ＊色空間での、あるＬ＊値におけるａ＊ｂ＊平面上に、画像領域９０１と画像領域９０２のａ＊ｂ＊値を、点１１０１、点１１０２としてプロットしている。画像領域９０１と画像領域９０２の色の違い（色むら）は、図１０のようなインク層の重なり順序に違いにより発生する。
【０１１６】
この帯状の色むらを解消する方法として、実施形態１では、往方向記録と復方向記録で使用する色分解ＬＵＴを切り替える。
【０１１７】
実施形態１では、染料インクを使用して色むらを補正する。ここでは、画像領域９０２に再現される色を画像領域９０１に再現される色と同一になるよう補正する例を説明する。図１１の点１１０２は点１１０１より、Ｙ方向の色相に近い色である。そのため、画像領域９０２を記録する際に、染料シアンインク（Ｃｄインク）を所定量追加する。
【０１１８】
図１２は本発明の実施形態１の顔料インクにおける双方向記録時の帯状の色むらを補正するための染料インク追加量決定方法の例を示す図である。
【０１１９】
図１２では、Ｃｄインクの追加量決定方法の例を示している。１２０１は、画像領域９０１での顔料インク使用量（ここでは、Ｃｐインク１００％、Ｙｐインク１００％）で記録した色票である。１２０２は、画像領域９０２での顔料インク使用量（ここでは、Ｃｐインク１００％、Ｙｐインク１００％）に、Ｃｄインクを一定量変化させて記録した色票群である。
【０１２０】
色票１２０１と、色票群１２０２それぞれの色票の両者を比較し、色票１２０１と一番色差が小さくなる色票を色票群１２０２から、目視あるいは測色して選択する。その際のＣｄインクの使用量がＣｄインク追加量となる。尚、色票１２０１が、色票群１２０２のある２つの色票の間にある場合は、補間演算によってＣｄ使用量を算出しても良い。
【０１２１】
ここでは、実際に印刷を実行して、インクの使用量を取得する方法を説明しているが、ｋｕｂｅｌｋａ−Ｍｕｎｋ理論（高濃度部）やＭｕｒｒａｙ−Ｄａｖｉｓ式（低濃度部）等の色予測式を用いて取得しても良い。
【０１２２】
また、画像領域９０２に再現される色を画像領域９０１に再現される色と同一になるよう補正する例を説明しているが、これに限定されない。例えば、再現したい色が、図１１における点１１０１、点１１０２の色のどちらとも異なる場合、所望の色を再現するような顔料インクの使用量を決定してから、染料インクの追加量を決定しても良い。
【０１２３】
所望の色を再現するような顔料インク使用量決定方法は、コスト面からはインク使用量の少ない方を選択することが望ましく、耐候性面からはインク使用量の多い方を選択することが望ましい。
【０１２４】
また、往方向記録と復方向記録とで顔料インクの使用量を一定としているが、積層するインク層の順序によって光沢が異なる場合、帯状の光沢むらが発生しないよう、顔料インクの使用量も調整することが望ましい。
【０１２５】
以上、濃度がごく高い高濃度領域について説明しているが、低濃度領域についても同様にして染料インクの追加量を決定する。以上の処理で決定したインクの使用量で、グリーンの階調を再現する際のインク出力（インク使用量）の対応例を図１３に示す。
【０１２６】
尚、染料インクを記録する画素は、顔料インクと重ならないような配置（排他ドット配置）にしても良いし、顔料インクと重なるような配置（ドットオンドット配置）にしても良い。但し、それぞれで染料インクの使用量が異なるため、染料インクの追加量を決定する際の色票の印刷や予測には、中間調処理を考慮して行う必要がある。
【０１２７】
以上が、グリーン階調の色むら補正方法である。同様にして、レッド、ブルー等の複数の階調、及び、シアン、マゼンタ、イエロー、レッド、グリーン、ブルーの間の階調についても、補正を実行するための色分解を行う。また、その他の色については３次元色空間上で補間演算を行う。これにより、印刷に必要な色分解用の色分解ＬＵＴを生成する。
【０１２８】
さらに、「処理２」においても、図７における画像領域７０２、７０３とそれに続く２つの領域、合わせて４つの領域の色間で、「処理１」と同様の処理を実行することで、各記録パスにおける色分解ＬＵＴの生成が可能になる。
【０１２９】
尚、実施形態１では、比較的少ないパス数での記録の例を４パスで説明しているが、これに限定されるものではなく、２パス、６パス等、異なるパス数であっても何ら問題ない。
【０１３０】
また、実施形態１では、インク色はシアン、マゼンタ、イエローの例を用いて説明しているが、インク色はシアン、マゼンタ、イエローに限らず、複数色であれば他の色のインクや異なる数のインクのセットを用いても良い。
【０１３１】
例えば、シアン、マゼンタ、イエローを用いるより少ないインク量で無彩色、かつ、高濃度を表現可能なブラックインクを用いても良い。また、シアン、マゼンタ、ブラックのそれぞれのインクより相対的に淡い色のインクである淡シアンインク、淡マゼンタインク、グレーインクを用いても良い。さらに、レッド、グリーン、ブルー等の特色のインクを用いても良い。
【０１３２】
以上説明したように、実施形態１によれば、同系色の相対的に耐候性の高い色材（顔料インク）と相対的に耐候性の低い色材（染料インク）を同時に搭載した記録装置において、高画質記録を実現することができる。特に、記録画像の耐候性の保持、帯状の光沢むら発生の抑止、高速記録を両立しながら、帯状の色むらの発生を最小限に抑えた記録を実現できる。  [実施形態２]
以下、実施形態２について説明する。実施形態２に画像形成装置の構成は、実施形態１と同様、図１を適用可能である。
【０１３３】
特に、実施形態２では、実施形態１との相違点である、記録時間差による記録位置毎（記録位置間）の色むらの補正方法について説明する。
【０１３４】
図１４は本発明の実施形態１の双方向記録方式で４パス記録を行う際の記録ヘッドの走査と画像形成の関係を示す模式図である。
【０１３５】
ここでは、記録媒体１４０１が、例えば、幅６０インチ程にも及ぶ大判である場合について説明する。この場合、記録ヘッド２１１が同一画像領域内を走査して記録する際に、先行して記録媒体上に記録されたインクに対して、後続して記録されるインクの付与される時間の差が、記録媒体１４０１の位置によって大きく異なる。
【０１３６】
これは、記録ヘッドの走査方向（往方向から復方向／復方向から往方向）が切り替わる前後では先行インクと後続インクの記録時間差が小さく、その切り替わってからの距離が遠い箇所では先行インクと後続インクの記録時間差が大きいことによるものである。この記録時間差によって、先行して記録されたインクの定着状態（乾燥状態等）によっては、後続のインク形成に影響を与える。こうして形成されるインクの定着状態の違いが発色に影響を与えるため、結果として記録媒体上の位置による色むらを生じる。
【０１３７】
これを解消する方法として、記録ヘッド２１１の走査方向に同一画像領域をＮ分割（図１４では、Ｎ＝７の例）し、分割領域（ａ）〜（ｎ）まで（正確には、これに続く２バンド分を含む）の、それぞれの記録位置、記録パスで色分解ＬＵＴを切り替える。
【０１３８】
例として、画像領域１４０２、１４０３について、Ｃｐインク１００％、Ｙｐインク１００％で記録した際の分割領域（ａ）〜（ｎ）で再現される色を図１５に示す。実施形態２では、染料インクを使用して色むらを補正する。
【０１３９】
ここでは、図１４における分割領域（ｇ）で再現される色に、その他の領域の色を補正する方法を説明する。図１５の例では、分割領域（ａ）〜（ｆ）は分割領域（ｇ）よりシアンの色相に近いためＹｄインクを追加し、分割領域（ｈ）〜（ｎ）は分割領域（ｇ）よりイエローの色相に近いためＣｄインクを追加する。染料インク追加量は実施形態１と同様、顔料インクに染料インクを一定量変化させて記録した複数色票あるいは予測式に基づき、分割領域（ｇ）と最も色差が小さくなるように決定する。染料インク追加量の例を図１６、図１７に示す。それぞれ太枠で囲った量に相当する染料インク追加量が、補正に用いる染料インク追加量である。
【０１４０】
その後の処理も実施形態１と同様にして実行することにより、色分解ＬＵＴを生成する。
【０１４１】
以上説明したように、実施形態２によれば、実施形態１で説明した効果を、特に、大判記録を行うインクジェット記録装置についても達成することができる。
【０１４２】
尚、上述の実施形態１及び実施形態２は、それぞれで実施しても良く、両実施形態を併用しても良い。
【０１４３】
最後に、実施形態１及び２における色分解処理の処理フローについて、図１８を用いて説明する。
【０１４４】
図１８は本発明の色分解処理の処理フローを示すフローチャートである。
【０１４５】
尚、この色分解処理は、上述の図９〜図１３で説明した色分解ＬＵＴを予め作成しておき、その作成した色分解ＬＵＴをホスト装置内で保持している状態で行う。この色分解ＬＵＴでは、同一画像領域における記録ヘッドの走査回数とその走査方向（往方向／複方向）毎に、各色材の使用量が対応づけて管理されている。そして、記録ヘッドの走査方向が切り替わる毎に、対応する走査方向の色分解ＬＵＴを参照することで、各色材の使用量を決定することが可能となる。
【０１４６】
まず、色分解処理部２０５は、印刷条件格納部１０５に格納されている印刷条件から、同一画像領域における記録ヘッドの走査回数を判定する（ステップＳ１８０１）。
【０１４７】
次に、色分解処理部２０５は、処理対象の画像データに基づく記録を行うための記録ヘッドの走査方向を判定する（ステップＳ１８０２）。
【０１４８】
次に、色分解処理部２０５は、判定した走査回数と走査方向に対応する、色分解ＬＵＴを参照する（ステップＳ１８０３）。
【０１４９】
次に、色分解処理部２０５は、参照した色分解ＬＵＴから、判定した走査回数と走査方向に応じて、今回の走査における、各色剤の使用量を決定する。
【０１５０】
このように、色分解処理部２０５は、画像データに対して設定されている印刷条件に基づいて、記録媒体上の同一画像領域に対する記録を完了するための、記録ヘッドの走査回数を判定する走査回数判定部として機能する。また、色分解処理部２０５は、同一画像領域に対する記録における、記録ヘッドの今回の走査における走査方向を判定する走査方向判定部として機能する。更に、色分解処理部２０５は、走査回数と走査方向に応じて、記録ヘッドの今回の走査における、相対的に耐候性の高い色材と相対的に耐候性の低い色材それぞれの使用量を決定する決定部として機能する。
【０１５１】
尚、実施形態１の構成における色分解ＬＵＴとしては、相対的に耐候性の高い色材と相対的に耐光性の低い色材との記録媒体への記録順序によって発生する色差を、走査回数と走査方向別に管理する。
【０１５２】
そして、実施形態１の構成の場合、判定した走査回数と走査方向に対応する色差が所定値より小さくなるように補正する。つまり、その補正を実現できるような、相対的に耐候性の高い色材の使用量と、相対的に耐光性の低い色材の使用量をそれぞれ決定する。
【０１５３】
この補正は、換言すれば、記録媒体の搬送幅毎（記録媒体の搬送前後の記録走査領域間に生じる記録画像）の色差がなくなるように補正することを意味する。
【０１５４】
特に、実施形態１では、相対的に耐候性の高い色材の使用量（顔料）は一定量に決定し、図１１における画像領域９０２に再現される色を画像領域９０１に再現される色と同一になるように、相対的に耐光性の低い色材の使用量を決定する。
【０１５５】
一方、実施形態２の構成における色分解ＬＵＴとしては、相対的に耐候性の高い色材と相対的に耐光性の低い色材との記録媒体への記録時間差によって発生する色差を、走査回数と走査方向別に管理する。
【０１５６】
そして、実施形態２の構成の場合、判定した走査回数と走査方向に対応する色差が所定値より小さくなるように補正する。つまり、その補正を実現できるような、相対的に耐候性の高い色材の使用量と、相対的に耐光性の低い色材の使用量をそれぞれ決定する。
【０１５７】
この補正は、換言すれば、記録媒体の搬送幅毎（記録媒体の搬送前後の記録走査領域間）における記録媒体上の位置によって生じる記録画像の色差がなくなるように補正することを意味する。
【０１５８】
特に、実施形態２では、相対的に耐候性の高い色材の使用量（顔料）は一定量に決定し、図１４における画像領域１４０２、１４０３における分割領域（ａ）〜（ｎ）それぞれで再現される色が同一になるように、相対的に耐光性の低い色材の使用量を決定する。
【０１５９】
以上のように、相対的に耐候性の高い色材（顔料インク）と相対的に耐候性の低い色材（染料インク）を用いる双方向記録において、記録走査領域間で生じる色差がなくなるような色材の使用量を決定する。これにより、記録走査領域間で生じる光沢ムラや色ムラ等の画質劣化を低減することができる。
【０１６０】
以上、実施形態例を詳述したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
【０１６１】
尚、本発明は、前述した実施形態の機能を実現するソフトウェアのプログラム（実施形態では図に示すフローチャートに対応したプログラム）を、システムあるいは装置に直接あるいは遠隔から供給する。そして、そのシステムあるいは装置のコンピュータが該供給されたプログラムコードを読み出して実行することによっても達成される場合を含む。
【０１６２】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【０１６３】
その場合、プログラムの機能を有していれば、オブジェクトコード、インタプリタにより実行されるプログラム、ＯＳに供給するスクリプトデータ等の形態であっても良い。
【０１６４】
プログラムを供給するための記録媒体としては、例えば、フロッピー（登録商標）ディスク、ハードディスク、光ディスクがある。また、更に、記録媒体としては、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【０１６５】
その他、プログラムの供給方法としては、クライアントコンピュータのブラウザを用いてインターネットのホームページに接続する。そして、その接続先のホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１６６】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【０１６７】
また、コンピュータが、読み出したプログラムを実行することによって、前述した実施形態の機能が実現される。また、そのプログラムの指示に基づき、コンピュータ上で稼動しているＯＳなどが、実際の処理の一部または全部を行ない、その処理によっても前述した実施形態の機能が実現され得る。
【０１６８】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行ない、その処理によっても前述した実施形態の機能が実現される。
【図面の簡単な説明】
【０１６９】
【図１】本発明の実施形態１における画像形成装置の構成を示す基本となるブロック図である。
【図２Ａ】本発明の実施形態１における画像形成装置の詳細な構成を示すブロック図である。
【図２Ｂ】本発明の実施形態１のコンピュータのハードウェア構成を示すブロック図である。
【図３】本発明の実施形態１に係るユーザインタフェース（ＵＩ）部の一例を示す図である。
【図４】本発明の実施形態１のマルチパス記録を説明するための模式図である。
【図５】本発明の実施形態１における、Ｃ、Ｍ、Ｙ３色のインクを用いて黒色画像の印刷を行う場合の各インクの積層を示す模式図である。
【図６】本発明の実施形態１の記録ヘッドにおける各色インクの記録素子（ノズル）配置を示す模式図である。
【図７】本発明の実施形態１の双方向記録方式で４パス記録を行う際の記録ヘッドの走査と画像形成の関係を示す模式図である。
【図８】本発明の実施形態１の印刷条件設定ウインドウにてユーザに選択された各印刷条件に応じた処理フローを示すフローチャートである。
【図９】本発明の実施形態１の１パス記録を行う際の記録ヘッドの走査と画像形成の関係を示す模式図である。
【図１０】本発明の実施形態１の色材記録順序の違いによるインク層重なりの違いを示す模式図である。
【図１１】本発明の実施形態１の色材記録順序の違いによって再現される色の違いをプロットしたＣＩＥ  Ｌ＊ａ＊ｂ＊色空間のａ＊ｂ＊平面図である。
【図１２】本発明の実施形態１の顔料インクにおける双方向記録時の帯状の色むらを補正するための染料インク追加量決定方法の例を示す図である。
【図１３】本発明の実施形態１の階調値とインク出力（インク使用量）の対応例を示す図である。
【図１４】本発明の実施形態１の双方向記録方式で４パス記録を行う際の記録ヘッドの走査と画像形成の関係を示す模式図である。
【図１５】本発明の実施形態２の記録位置における色むらをプロットしたＣＩＥ  Ｌ＊ａ＊ｂ＊色空間のａ＊ｂ＊平面図である。
【図１６】本発明の実施形態２における記録位置における色むらを補正するための染料インク追加量決定方法の例を示す図である。
【図１７】本発明の実施形態２における記録位置における色むらを補正するための染料インク追加量決定方法の例を示す図である。
【図１８】本発明の色分解処理の処理フローを示すフローチャートである。
【符号の説明】
【０１７０】
１０１  画像入力部
１０２  画像処理部
１０３  画像記録方法決定部
１０４  画像出力部
１０５  印刷条件格納部
【図１】
2010100017.tif 000003
【図２Ａ】
2010100017.tif 000004
【図２Ｂ】
2010100017.tif 000005
【図３】
2010100017.tif 000006
【図４】
2010100017.tif 000007
【図５】
2010100017.tif 000008
【図６】
2010100017.tif 000009
【図７】
2010100017.tif 000010
【図８】
2010100017.tif 000011
【図９】
2010100017.tif 000012
【図１０】
2010100017.tif 000013
【図１１】
2010100017.tif 000014
【図１３】
2010100017.tif 000015
【図１４】
2010100017.tif 000016
【図１５】
2010100017.tif 000017
【図１６】
2010100017.tif 000018
【図１７】
2010100017.tif 000019
【図１８】
2010100017.tif 000020
【図１２】
2010100017.tif 000021